(57)【要約】【課題】記録および／または再生のデータ転送レートを高速化でき、またトラッキング制御の精度を高めることもできる磁気ヘッドを得る。【解決手段】磁気ディスクメディアに近接または接触するヘッドスライダー１２と、このヘッドスライダー１２に形成されたレール１１と、このレール１１に設けられたヘッドエレメント１３とを備えて、磁気ディスクメディアに対して磁気記録および／または再生を行う磁気ヘッド１０において、レール１１の１つに、磁気ディスクメディアのトラック並び方向に間隔を置いて複数のヘッドエレメント１３を設ける。【選択図】　　　　　図１
2004022022.tif 000002
【特許請求の範囲】
【請求項１】
磁気ディスクメディアに近接または接触するヘッドスライダーと、このヘッドスライダーに形成されたレールまたはパッドと、このレールまたはパッドに設けられたヘッドエレメントとを備えて、前記磁気ディスクメディアに対して磁気記録および／または再生を行う磁気ヘッドにおいて、前記レールまたはパッドの１つに、磁気ディスクメディアのトラック並び方向に間隔を置いて複数のヘッドエレメントが設けられていることを特徴とする磁気ヘッド。
【発明の詳細な説明】
【０００１】
【発明の属する技術分野】
本発明は、磁気ディスクカートリッジ等の磁気ディスクメディアに対して磁気記録および／または再生を行う磁気ヘッドに関するものである。
【０００２】
【従来の技術】
従来、フレキシブルなポリエステルシート等からなる円盤状の支持体の両面に磁性体層が形成された可撓性磁気ディスクメディアを、磁気ヘッド挿入用の窓部を有するケース内に回転自在に収容してなる磁気ディスクカートリッジが提供されている。この種の磁気ディスクカートリッジは、その取扱いの容易性、低コストといった利点から、主としてコンピュータ用の記録媒体として用いられている。
【０００３】
上記構成の磁気ディスクカートリッジを駆動するドライブ装置は、一般に、磁気ディスクメディアを回転駆動する手段と、磁気ディスクメディアに対して信号の記録および／または再生を行う磁気ヘッドと、この磁気ヘッドを搭載して該磁気ヘッドを磁気ディスクメディアの径方向に移動させる磁気ヘッドアームとを備えたものとされる。このような構成のドライブ装置においては、磁気ヘッドを、磁気ディスクメディアの回転により相対的にその周方向に移動させるとともに、磁気ヘッドアームの動きにより磁気ディスクメディアの径方向に移動させることにより、該磁気ディスクメディアの同心円状のトラックに情報を記録し、またそのようなトラックから記録情報を再生するようになっている。
【０００４】
なお、上記の磁気ヘッドは基本的に、磁気ディスクメディアに近接または接触するヘッドスライダーと、このヘッドスライダーに形成されたレールまたはパッドと、このレールまたはパッドに設けられたヘッドエレメントとからなるものとされている。
【０００５】
上記の基本構成を有する従来の磁気ヘッドにおいて、ヘッドスライダーにおいてレールまたはパッドは１つあるいは複数形成され、そのレールまたはパッドの１つにヘッドエレメントが形成されている。なお、左右１対のレールまたはパッドにそれぞれ１つずつヘッドエレメントを形成した磁気ヘッドも提供されているが、そのような磁気ヘッドにおいても、実際に磁気記録および／または再生に使用されるヘッドエレメントは片側の１つのみである。すなわち、このような磁気ヘッドは、磁気ディスクメディアの一表面に対向するものと他表面に対向するものとを共通の工程で作製することから、そのような構成になっている。
【０００６】
【発明が解決しようとする課題】
ところで近時、磁気ディスクカートリッジは、携帯機器用の安価なリムーバブルメディアとして小型化（小径化）が広く望まれるようになっている。こうして磁気ディスクメディアの径が小さくなると、それにつれて記録／再生のデータ転送レートが遅くなるという問題が生じる。このデータ転送レートが遅くなると、例えば動画像を扱うビデオカメラ等においては、リアルタイムでの記録／再生が不可能になる、といった不具合も発生し得る。
【０００７】
また磁気ディスクメディアが小径化される場合は、記録容量を低下させないように記録密度をより高くする、つまりトラックをより狭小にする手法が採られることが多いが、そのようにすると磁気ヘッドをトラックに追随させる、いわゆるトラッキング制御が困難になるという不都合も生じる。すなわち、トラックがより狭小になるほど、磁気ディスクメディアから読み取られるトラッキング制御用のサーボ信号が、ドロップ・アウト等の影響を受けて欠落しやすくなるのである。
【０００８】
本発明は上記の事情に鑑みてなされたものであり、記録および／または再生のデータ転送レートを高速化でき、またトラッキング制御の精度を高めることもできる磁気ヘッドを提供することを目的とする。
【０００９】
【課題を解決するための手段】
本発明による磁気ヘッドは、前述したように磁気ディスクメディアに近接または接触するヘッドスライダーと、このヘッドスライダーに形成されたレールまたはパッドと、このレールまたはパッドに設けられたヘッドエレメントとを備えて、前記磁気ディスクメディアに対して磁気記録および／または再生を行う磁気ヘッドにおいて、前記レールまたはパッドの１つに、磁気ディスクメディアのトラック並び方向に間隔を置いて複数のヘッドエレメントが設けられていることを特徴とするものである。
【００１０】
なお上記の構成において、ヘッドエレメントとしては、薄膜プロセスで作成されるインダクティブ／ＭＲ（磁気抵抗効果型）複合ヘッドエレメントが採用されるのが望ましい。
【００１１】
【発明の効果】
本発明による磁気ヘッドは、レールまたはパッドの１つに、磁気ディスクメディアのトラック並び方向に間隔を置いて複数のヘッドエレメントが設けられたことにより、それら複数のヘッドエレメントを用いて、磁気ディスクメディアの複数箇所に対して同時に記録あるいは再生を行うことができるので、記録あるいは再生のデータ転送レートを高めることが可能である。
【００１２】
また、上述の通りの複数のヘッドエレメントを用いて、磁気ディスクメディアの複数箇所からトラッキング制御用のサーボ信号を読み取れるので、磁気ディスクメディアにおけるドロップ・アウト等により該メディアのある箇所からのサーボ信号が欠落しても、他の箇所からのサーボ信号を利用可能となり、それによりトラッキング制御の精度を高めることができる。
【００１３】
【発明の実施の形態】
以下、図面を参照して本発明の実施の形態を詳細に説明する。
【００１４】
図１は、本発明の第１の実施の形態による磁気ヘッド１０の斜視形状を示すものである。この磁気ヘッド１０は、一例として２本のレール１１、１１を有するヘッドスライダー１２を有し、そして１本のレール１１にそれぞれ２個のヘッドエレメント１３、１３が設けられてなるものである。上記ヘッドエレメント１３には、薄膜プロセスで作成されるインダクティブ／ＭＲ（磁気抵抗効果型）複合ヘッドエレメントが採用されている。
【００１５】
この磁気ヘッド１０は、図２に概略的に示すように、ヘッドスライダー１２がジンバル１４に保持され、回転駆動されて矢印Ａ方向に移動する磁気ディスクメディア２０に近接させて磁気記録／再生に使用される。なおヘッドスライダー１２は、後端と比べて前端が磁気ディスクメディア２０からより大きく離れるように斜めに保持され、それにより、磁気ディスクメディア２０が回転されると矢印Ｂで示す空気流が２本のレール１１、１１の間を通って後方側に流れる。
【００１６】
より具体的にヘッドスライダー１２は、図３に示すように、磁気ヘッドアーム１５のサスペンション１６の先端部に取り付けられたジンバル１４に保持され、該磁気ヘッドアーム１５が移動することにより、磁気ディスクメディア２０に対してヘッドスライダー１２が図２のように対向する記録／再生時位置と、この磁気ディスクメディア２０の周外方に退出した待機位置とに設定されるようになっている。またヘッドスライダー１２は上記の記録／再生時位置において、磁気ヘッドアーム１５の動きにより磁気ディスクメディア２０の径方向に移動されて、指定のトラックに対向する位置を取る。
【００１７】
１本のレール１１において２個のヘッドエレメント１３は、該レール１１の幅方向に互いに離して設置されている。なお、このレール１１におけるヘッドエレメント１３の配置状態を、図４に拡大して示す。ここで、１本のレール１１の幅Ｗは、例えば３００μｍ程度とされる。
【００１８】
実際に記録／再生に使用されるのは、一方のレール１１に設けられた２個のヘッドエレメント１３のみであり、他方のレール１１に設けられた２個のヘッドエレメント１３は使用されない。すなわちヘッドスライダー１２は、図２に示すように磁気ディスクメディア２０の上側に配置するものと、下側に配置するもの（図示せず）とを共通の工程で製作するために上述のような構成となっており、下側に配置されるヘッドスライダー１２においては、上記他方のレール１１に設けられた２個のヘッドエレメント１３が使用されることになる。
【００１９】
上記レール１１の幅方向は、磁気ヘッド１０と磁気ディスクメディア２０との相対移動方向に対して略直角な方向であり（図２参照）、磁気ディスクメディア２０においてこの方向には複数のトラックが並んでいる。したがって、本実施の形態の磁気ヘッド１０によれば、上記２個のヘッドエレメント１３を用いて、磁気ディスクメディア２０の２箇所に対して同時に記録あるいは再生を行うことができるので、記録／再生のデータ転送レートを高めることが可能である。
【００２０】
また上記２個のヘッドエレメント１３を用いて、磁気ディスクメディア２０の２箇所からトラッキング制御用のサーボ信号を読み取れるので、磁気ディスクメディア２０におけるドロップ・アウト等により磁気ディスクメディアの一箇所からのサーボ信号が欠落しても、もう一つの別の箇所からのサーボ信号を利用可能となり、それによりトラッキング制御の精度を高めることができる。
【００２１】
また本実施の形態ではヘッドエレメント１３として、薄膜プロセスで作成されるインダクティブ／ＭＲ複合ヘッドエレメントを採用しているので、互いの間の距離を精度良く保って２個のヘッドエレメント１３を形成することが可能になっている。
【００２２】
なお図５に示すように、２個のヘッドエレメント１３は、磁気ヘッド１０と磁気ディスクメディア２０との相対移動方向（レール１１の長さ方向）に互いに間隔を置いて配設されても構わない。
【００２３】
本発明は、以上説明した実施の形態におけるように、互いに完全に分離した形状の複数のレールに限らず、前端部分が結合した形状のレールを有する磁気ヘッドにも適用可能である。図６は、そのように形成された本発明の第２の実施の形態による磁気ヘッド３０を示すものである。なおこの図６において、既に説明した図１〜５中の要素と同等の要素には同番号を付してあり、それらについての説明は特に必要のない限り省略する（以下、同様）。
【００２４】
この図６に示す磁気ヘッド３０においては、ヘッドスライダー３２に２本のレール３１、３１が形成されているが、これらのレール３１、３１は前端部分で互いに結合した形状とされている。そして各レール３１には、レール幅方向に離して２個のヘッドエレメント１３が形成されており、それにより本実施の形態でも、第１の実施の形態で得られるのと同様の効果を奏することができる。
【００２５】
次に、図７を参照して本発明の第３の実施の形態について説明する。この第３の実施の形態の磁気ヘッド４０において、ヘッドスライダー４２には３本のレールが形成されているが、ヘッドエレメント１３が形成されるのは１本のレール４１のみである。ここでも、この１本のレール４１にはその幅方向に離して２個のヘッドエレメント１３が形成されており、それにより本実施の形態でも、第１の実施の形態で得られるのと同様の効果を奏することができる。
【００２６】
次に、図８を参照して本発明の第４の実施の形態について説明する。この第４の実施の形態の磁気ヘッド５０において、ヘッドスライダー５２には４個の浮上パッド５１が形成され、それらのうちの１つの浮上パッド５１にはその幅方向（磁気ヘッド５０と図示外の磁気ディスクメディアとの相対移動方向と略直角な方向）に離して２個のヘッドエレメント１３が形成されており、それにより本実施の形態でも、第１実施の形態で得られるのと同様の効果を奏することができる。
【００２７】
なお本発明において、ヘッドスライダーに形成されるレールやパッドの数は、以上説明した各実施の形態における数に限られるものではなく、その他の数が適用されてもよい。また１つのレールあるいはパッドに形成するヘッドエレメントの数も、以上説明した各実施の形態における２個に限られるものではなく、３個以上のヘッドエレメントが形成されても構わない。
【図面の簡単な説明】
【図１】本発明の第１の実施の形態による磁気ヘッドを示す斜視図
【図２】図１の磁気ヘッドの使用状態を示す側面図
【図３】図１の磁気ヘッドのアームへの取付け状態を示す平面図
【図４】図１の磁気ヘッドの一部を拡大して示す平面図
【図５】図１の磁気ヘッドの変形例を示す平面図
【図６】本発明の第２の実施の形態による磁気ヘッドを示す平面図
【図７】本発明の第３の実施の形態による磁気ヘッドを示す斜視図
【図８】本発明の第４の実施の形態による磁気ヘッドを示す斜視図
【符号の説明】
１０　　磁気ヘッド
１１　　レール
１２　　ヘッドスライダー
１３　　ヘッドエレメント
２０　　磁気ディスクカートリッジ
３０　　磁気ヘッド
３１　　レール
３２　　ヘッドスライダー
４０　　磁気ヘッド
４１　　レール
４２　　ヘッドスライダー
５０　　磁気ヘッド
５１　　浮上パッド
５２　　ヘッドスライダー
【図１】
2004022022.tif 000003
【図２】
2004022022.tif 000004
【図３】
2004022022.tif 000005
【図４】
2004022022.tif 000006
【図５】
2004022022.tif 000007
【図６】
2004022022.tif 000008
【図７】
2004022022.tif 000009
【図８】
2004022022.tif 000010